(57)【要約】【課題】  シャワーアタッチメントの利用及び使用の可能性を拡大及び改良する。【解決手段】  本発明は、複数のウォールサポート（６）を用いて垂直な壁の前方で利用されるウォールロッド（１）に関し、このウォールロッドはその上方の端部に延在部を有し、これは壁から離れたアーチ型の方式で延在している。シャワーアタッチメントのハンドルは、このアーチ型のパイプ延在部の自由端内に挿入されることが可能であり、チューブはウォールロッド（１）の後ろ側で下方に向けてガイドされる。【選択図】  図１
2007518001.tif 000002
【特許請求の範囲】
【請求項１】
シャワーアタッチメントのためのウォールブラケットであって、
１．１  ウォールロッド（１）と、
１．２  ある程度垂直な表面の前方にスペースを空けてウォールロッド（１）を固定するための少なくとも１つのウォールサポート（６）と、
１．３  ウォールロッド（１）に取り付け可能な及び／又はシャワーアタッチメントの挿入のための少なくとも１つの載置ブラケット（２０）を有し、
１．４  シャワーアタッチメントのための載置ブラケット（２０）が、延長されたウォールロッド（１）として形成されている、
ウォールブラケット。
【請求項２】
載置ブラケット（２０）が、ウォールロッド（１）の連続部として形成されていることを特徴とする請求項１に記載のウォールブラケット。
【請求項３】
載置ブラケット（２０）が、ピボット旋回可能に取り付けられていて、好ましくはウォールロッド（１）の長手方向軸心又はそこに平行な軸心の周りでピボット旋回可能であることを特徴とする請求項１又は２に記載のウォールブラケット。
【請求項４】
載置ブラケット（２０）が曲がっていて、載置ブラケット（２０）の中心線が好ましくは平面にあり、そこに更にウォールロッド（１）の軸心があることを特徴とする請求項１〜３のいずれか１項に記載のウォールブラケット。
【請求項５】
載置ブラケット（２０）が、開口したパイプ（２１）として形成されていて、その端部において後ろ側及び／又は横方向の側に向いた錐体部（２２）を有することを特徴とする請求項１〜４のいずれか１項に記載のウォールブラケット。
【請求項６】
開口が、切れ目の形成されたスロットの形状を特徴としている請求項５に記載のウォールブラケット。
【請求項７】
少なくとも１つのウォールサポート（６）が、二重に曲げられた形状であることを特徴とする請求項１〜６のいずれか１項に記載のウォールブラケット。
【請求項８】
少なくとも１つのウォールサポート（６）が、ウォールロッド（１）に対して横方向に反対に、シャワーアタッチメントにつながるホースの直径の少なくとも半分だけずれていることを特徴とする請求項１〜７のいずれか１項に記載のウォールブラケット。
【請求項９】
シャワー放出口ホルダのスイベル旋回ベアリングが、ウォールサポート（６）に設置されていることを特徴とする請求項１〜８のいずれか１項に記載のウォールブラケット。
【請求項１０】
載置ブラケット（２０）のスイベル旋回が、それが垂直表面に到達する前に、制限されるような方式で、スイベル旋回ベアリングが形成されていることを特徴とする請求項１〜９のいずれか１項に記載のウォールブラケット。
【請求項１１】
スイベル旋回動作がステップ動作されるような方式でスイベル旋回ベアリングが形成され、載置ブラケット（２０）がニュートラル位置でとくにステップ動作されることを特徴とする請求項１〜１０のいずれか１項に記載のウォールブラケット。
【請求項１２】
追加のホースガイドを有し、これが好ましくはウォールロッド（１）の後ろに設置されることを特徴とする請求項１〜１１のいずれか１項に記載のウォールブラケット。
【請求項１３】
ウォールロッド（１）に設置される追加のブラケットを有し、これが同じものの周りをスイベル旋回するとともにもし必要な場合には追加的に高さ調節可能であることを特徴とする請求項１〜１２のいずれか１項に記載のウォールブラケット。
【発明の詳細な説明】
【技術分野】
【０００１】
本発明は、載置ブラケットが取り付けられるとともに例えばハンドルでシャワーアタッチメントが挿入され得る、垂直に並べられたウォールロッドを有するシャワーアタッチメントのためのウォールブラケットに関する。
【背景技術】
【０００２】
このような複数のウォールロッドが長い間良く知られている。これらは、シャワーアタッチメントの高さが本体寸法に関して調節され得るという利点を有し、座っている間のシャワーも可能になっている。シャワーアタッチメントは、載置ブラケットから取り外されることが可能であり、かつ、体をゆすぐのに使用されることが可能である。シャワーアタッチメントのこの種の載置の不利な点は、シャワー放出口ホースが常に最大限調節され得るようになっていて、それゆえ通常はより長くなっており、シャワーアタッチメントがウォールロッドにぶら下げられるときにそれが邪魔になる形でぶら下がるようになっていることである。
【０００３】
これらの不利な点は、堅固に設置された複数のオーバーヘッドシャワー放出口には存在しない。しかしながら、それらは通常は調節可能でないという不利な点を有する。仮にそれらがジョイントの助けにより取り付けられるとしても、シャワーヘッドの位置は、それが水を噴霧する際の角度は別として、調節され得ない。
【０００４】
公知のウォールブラケットにおいては、摺動体が垂直に設置されたウォールロッドに取り付けられていて、そこにピボット旋回される載置部を有するシャワーヘッドが取り付けられている。このシャワーヘッドへの供給ラインは、ホースを介して設けられる（ＤＥ  ２７  ２０  ５０７）。シャワーヘッドは取り外しできない。
【０００５】
同様に、ウォールロッド（ＥＰ  Ａ７６７１７）が公知であり、これは永続的に設置された部分と、永続的に設置された部分と反対方向に突出したはめ込み式で移動可能な部分からなる。ホースから水を得る、取り付けられたシャワーのハンドルが、移動可能な部分の上方の端部に取り付けられる。
【特許文献１】ＤＥ  ２７  ２０  ５０７
【特許文献２】ＥＰ  Ａ７６７１７
【発明の開示】
【発明が解決しようとする課題】
【０００６】
本発明は、シャワーアタッチメントの利用及び使用の可能性を拡大及び改良する課題に基づいている。
【課題を解決するための手段】
【０００７】
この課題を解決するため、本発明は請求項１に記載された構成を有するシャワーアタッチメントのためのウォールブラケットを提供する。本発明の更なる改良は、従属請求項の対象となっている。
【発明を実施するための形態】
【０００８】
本発明は、シャワーアタッチメントの利用及び使用の可能性を拡大及び改良するものである。
【０００９】
従来の技術においては、シャワーアタッチメントのための載置ブラケットは、通常別体の部分として構成されていて部分的に邪魔になるエレメントとして認識されているが、本発明は、載置ブラケットがウォールロッドの突起を形成するように構成されることを提供する。別に表現されると、載置ブラケットはウォールロッドの突起に設置される。それゆえ、ウォールロッドの視覚的に魅力的な全体の印象が達成されるとともに、もはや邪魔にならない完全なイメージを与える。
【００１０】
とくに、本発明は、シャワーアタッチメントのための載置ブラケットが、ウォールロッドのためのオーバーヘッド突起として形成されることを提供し、載置ブラケットに嵌め合いされるシャワーアタッチメントが、オーバーヘッドシャワー放出口として機能し得るようになっている。それは、載置ブラケットから取り外されて、シャワーアタッチメントとして使用されることが可能である。
【００１１】
シャワーアタッチメントをオーバーヘッドシャワー放出口として使用するとき、異なる複数の状態への調節又は適合を可能にするため、本発明によれば、載置ブラケットが、好ましくはウォールロッドの長手軸心又はそこに平行な軸心の周りで、ピボット旋回されることが提供され得る。この方式で、載置ブラケットに取り付けられたシャワーアタッチメントを中心位置の右又は左に向けてシフトさせ得る。とくにこのようなウォールブラケットをバスタブに取り付けるときは、この方式でユーザーがバスタブの複数の異なる位置に立つことが可能である。
【００１２】
とくに本発明の更なる発展において、載置ブラケットが曲がっていて、好ましくは載置ブラケットの中心線が平面内にあり、もし必要ならそこにウォールロッドの軸心があることが可能である。曲がった形状のため、ウォールロッドは視覚的に連続状に形成されることが可能であり、載置ブラケットに嵌め合いされたシャワーアタッチメントが下方を向く可能性を提供する。曲がった形状は、それゆえ、シャワーアタッチメントにつながるホースがもはや邪魔にならないように保持され得ることを可能にする。
【００１３】
とくに、本発明の更なる発展において、載置ブラケットが、開口したパイプとして形成されていて、その外端に後ろ側に向いた及び／又は横方向の側に向いた錐体部を有する。錐体部は、公知であり、シャワーアタッチメントのハンドルを挿入するために使用される。後ろ側及び／又は横方向の側の開口は、このプロセスの間シャワー放出口ホースを保持するのに有利に役立つことが可能であり、それが安全に収容されて邪魔にならないようになっている。この可能性は、開口が切れ目の形成された（アンダーカットされた）スロットの形状を特徴とすることで更に改良される。
【００１４】
本発明の更なる発展において、少なくともウォールサポートが二重に曲げられて形成されることが提供される。二重に曲げられることにより、スペースが形成され、そこでシャワー放出口ホースがウォールロッドと垂直表面の間で下方に向けてぶら下がることが可能であり、それが邪魔になることが一層少なくなるようになっている。
【００１５】
とくに、少なくともウォールサポートが、ウォールロッドに対して横方向に反対に、シャワーアタッチメントホースの直径のおよそ少なくとも半分移動して設置されることが提供され得る。
【００１６】
本発明によれば、シャワー放出口ホルダのスイベル旋回サポートは、ウォールサポートに設置され得る。
【００１７】
載置ブラケットのスイベル旋回動作は、複数のウォールサポートの助けによりウォールロッドが載置される垂直表面にそれが到達する前に、制限されるように、スイベル旋回サポートが形成され得る。この方式でシャワーアタッチメントと壁の間の接触が防止される。同時に、シャワーを浴びる人のみを除いて壁にシャワースプレーが到達することが妨げられる。
【００１８】
更なる発展において、スイベル旋回サポートが、載置ブラケットの一定の複数の位置を支持するノッチを有することが提供され得る。とくに、載置ブラケットがニュートラル位置で静止したままであることが提供されるべきである。
【００１９】
本発明によれば、ウォールブラケットは追加のホースガイドを提示することが可能であり、これは好ましくはウォールロッドの後ろ、従ってウォールロッドと壁の間に設置される。
【００２０】
シャワーアタッチメントを下方の位置でロックすることを可能にする目的で、シャワーアタッチメントのための更なる載置ブラケットをウォールロッドそれ自身に取り付けることも可能である。この追加的な載置ブラケットは、ウォールロッドの周りでピボット旋回されることも可能であり、従って高さ調節可能である。好ましくは、ウォールロッドの周りの回転は、ウォールロッドが回転されるか否かとは独立に行われることが提供される。
【００２１】
ウォールロッドを固定するために、２つのウォールサポートが使用されることが通常提供される。ウォールロッドは、１より多い部分、例えば２つのパイプセクションからなることも可能であり、もし必要なら３つのウォールサポートが使用され得るようになっている。
【００２２】
本発明の更なる構成、詳細及び好適な内容は、後述する好ましい態様、特許請求の範囲、及び要約から生じ、これらは詳細な説明の内容と図面の両方を参照している。
【実施例】
【００２３】
図１に概念的に描かれたウォールブラケットは、カートリッジ型ベアリング２をその下方の端部のセクションにおいて備えた中心エレメントとしてパイプ１を有する。カートリッジ型ベアリング２は、低部からパイプ１内に挿入され、パイプの面のエッジにフランジ３を外側に向けて突出させている。
【００２４】
その上方の端部のセクションにおいて、パイプは、パイプ内に上部から挿入されるカートリッジ型ベアリング４を更なる特徴としている。パイプ１の上方の端部から、カートリッジ型ベアリングの部分５が突出している。このカートリッジ型ベアリング４の突出部分５は、その複数の外側寸法がカートリッジ型ベアリング２の複数の内側寸法に対応している。
【００２５】
パイプ１をそのカートリッジ型ベアリング２、４に固定するために、２つのウォールサポート６が用いられ、これらは両方とも同一に形成されている。各ウォールサポート６は、壁に捩じ込まれるべき基板７を有し、これはステップ穴８を特徴としている。ステップ穴８により、複数のネジが捩じ込められることが可能であり、この複数のネジの複数のヘッドは、さらにステップ穴８の延長された部分に休止することになる。この基板７は、支柱１８が連結されている。基板７の反対にある支柱１８の外端に、ベアリングエレメント９が設けられ、これは上方を向いて直径が減少されたシリンダ状部分１０と、内部穴１２を有する下方のセクション１１を明示している。内部穴１２の複数の寸法は、パイプ１の上方の部分におけるカートリッジ型ベアリング４の複数の突出部５の複数の外側寸法に対応している。
【００２６】
カートリッジ型ベアリング２を有するパイプ１は、カートリッジ型ベアリング２がウォールサポート６の両方の部分１１、１０の間の移行部分における肩１３に休止するまで、直径が減少されたウォールサポート６のベアリング延在部１０に押し付けられる。ウォールサポート６のベアリング９の下方の部分１１の外周は、パイプ１の外径に対応しており、この方式でパイプの外側形状はウォールサポート６の下方の端部まで延長されるようになっている。
【００２７】
上方の端部において、パイプのカートリッジ型ベアリング４の突出部分５は、同様にそれが対応する複数の肩の上で休止するまで、上方のウォールサポート６の凹所１２に挿入される。このような方式で、パイプ１は２つのウォールサポート６の間に堅固に保持される。両方のウォールサポート６は、同一に形成される。上方のウォールサポート６から、突起１０のみが上方に突出する。シャワーヘッドの載置ブラケット２０は、この突起１０に置かれる。載置ブラケット２０は、後ろ側でスロット形状にされたパイプの形状を特徴としている。このパイプセクションの下方の端部に、カートリッジ型ベアリング２が、ウォールロッドのパイプ１の下方の端部に類似して、同様に挿入される。このカートリッジ型ベアリング２と上方のウォールサポートの突出部１０との間に、接続がある。これによって、パイプピース２１がウォールスロット６に固定される。ウォールサポート６のベアリングの突出部１０と複数のパイプピース２１のカートリッジ型ベアリング２との間の接続は、それがその２つの軸心の周りで、もし必要ならある複数の位置でロックされる可能性を持って、回転し得るように、構成され得る。
【００２８】
曲がった複数のパイプピース２１の上方の端部は、シャワーアタッチメントのハンドルのための錐体ブラケット２２を明示している。この錐体ブラケットは公知であり、それゆえ更なる説明はされない。
【００２９】
もしシャワーアタッチメントのハンドルが錐体ブラケット２２に挿入されると、シャワー放出口ホースがパイプピース２１の内側を通って複数のウォールサポート６の１つとの接続まで案内され得る。この地点から、それは自由に下向きにぶら下がることが可能であり、それは更にウォールロッドとウォールサポート６の複数の基板の間のセクションに休止することになる。この地点で、それは邪魔になることなく自由にぶら下がることができる。
【００３０】
図２は、シャワーアタッチメントのための追加の載置ブラケット３０がパイプ１により形成されたウォールロッドに取り付けられ得ることを示している。載置ブラケットは、複数のウォールスロット６の助けによる載置の前のスリーブ３１と同様に、パイプ１に押し付けられる。それは、複数のスプリングエレメントを示すことが可能であり、その得られた位置を周方向とウォールロッドの軸方向の両方で保持し得るようになっている。前方ブラケット開口３２は、それゆえもし必要なら、水平軸心の周りで追加的に回転され得る。ウォールロッドの上方の端部の載置ブラケット２０から取り外されたシャワーアタッチメントは、更に、載置ブラケット３０に挿入され得る。
【００３１】
図３は、図１及び２と比較して拡大された遠近スケールでウォールサポートを示し、そこでそれはパイプ１を固定するために使用される形状となっている。複数のベースプレート７は、長手方向に引き伸ばされていて下方の丸みを有している。長手方向のエッジは、壁への取り付けの場合に、上部から下部に垂直に延びている。１つの長手方向の側部エッジのセクションにウェブ１８が取り付けられ、これは基板７の後ろ側と反対に直角に延びている。基板７の後ろ側は、壁に平坦に置くためのものである。
【００３２】
ウェブ１８の前方の端部において、それは接線方向にベアリング９になっている。縮小された直径を有する先に述べられた突起１０は、図１及び２の単純化された図面に描かれたよりも幾分複雑な構成を示している。その外形は、下方の開口１２の内径１に対応する直径を示している。
【００３３】
基板と反対の、及びとくにベアリング９と反対のウェブ１８の横方向のオフセットにより、このウェブがウォールロッドと反対に横方向にずれている。この方式で、ウォールロッドのすぐ後ろでぶら下がるホースは、収容される目的でスペースを有する。
【００３４】
ウォールロッドの軸心の周りで載置ブラケット２０のサポートがピボット旋回されることにより、オーバーヘッドシャワー放出口を形成するシャワーアタッチメントが左右にスイベル旋回され得る。それはそれゆえ取り外されて通常のシャワーアタッチメントとして使用され得る。
【００３５】
この設備は、永続的に設置されるオーバーヘッドシャワー放出口の複数の利点を、載置ブラケット無しで使用され得るシャワーアタッチメントの利点に組み合わせている。
【図面の簡単な説明】
【００３６】
【図１】本発明によるウォールブラケットを通る軸心断面をシャワーアタッチメント無しで示す。
【図２】図１と比較して追加のブラケットを有する縮小された断面
【図３】ウォールサポートの遠近図
【図１】
2007518001.tif 000003
【図２】
2007518001.tif 000004
【図３】
2007518001.tif 000005
【国際調査報告】
2007518001.tif 000006
2007518001.tif 000007
2007518001.tif 000008
2007518001.tif 000009
2007518001.tif 000010
2007518001.tif 000011